(57)【特許請求の範囲】
【請求項１】
コネクター本体におけるベース部材には同軸ケーブルにおける中心導体を挿通する為の挿通孔を備えさせると共に
ベース部材の一面からは同軸ケーブルにおける編組部分を位置させる為の中空の収納室が内側に形成されるように側壁を突設させ、上記中空の収納室内には同軸ケーブルの中心導体が上記挿通孔を貫通し、同軸ケーブルにおける編組部分が上記中空の収納室内に位置した装着状態において上記編組部分に圧接して上記編組部分の抜止めをするようにしてある抜止の部材を備える同軸ケーブル用のコネクターにおいて、
上記中空の収納室にあっては、内側には中心導体を挿通する為に上記の挿通孔に同軸的に連通する挿通孔を備える筒状の接触筒を、一端は上記ベース部材の一面に一体的に接合し、他端は上記中空の収納室における開口部に向けて突出させ、上記接触筒の外周面には収納室における開口部から挿入される同軸ケーブルにおける編組を被せ付けて導通させることを可能な状態で配置し、
上記収納室内における中空の接触筒の周囲には、開口部側からベース部材側に向けて自由端が接触筒に近づくように傾斜させた複数の弾力性を備える抜止の為の係合爪を配設して、収納室内に挿入される同軸ケーブルの編組が係合爪を押上げて挿入された後はその編組を押圧係止可能に配置し、
上記中空の収納室における開口部には接触筒に被せ付けられる上記の編組の外周よりも大きな内周面を備える筒状の解除部材を軸心方向へ向けての進退を自在に装着し、解除部材におけるベース部材側の自由端における係合爪排除部材の先端は、上記解除部材をベース部材側に向けて押し進めた状態では係合爪を押上げて同軸ケーブルにおける編組部分から係合爪の先端部を離間させ得るように設定してあり、後退させた状態においては、係合爪の先端部が上記の編組を押圧係止可能となる位置に復帰し得るように構成してあることを特徴とする同軸ケーブル用のコネクター。
【発明の詳細な説明】
【０００１】
【発明の属する技術分野】
本発明は、同軸ケーブルをコネクターに接続するに当り、簡易な操作でもって接続することができるようにした同軸ケーブル用のコネクターに関する。
【０００２】
【従来の技術】
同軸ケーブル用のコネクターに係わる構成は、種々なものが広く知られており、その内には、コネクター本体におけるベース部材に同軸ケーブルにおける中心導体を挿通する為の挿通孔を備えさせると共にベース部材の一面からは同軸ケーブルにおける編組部分を位置させる為の中空の収納室が内側に形成されるように筒状の側壁を突設させ、上記中空の収納室内には同軸ケーブルを中心導体が上記挿通孔を貫通し、同軸ケーブルにおける編組部分が上記中空の収納室内に位置した装着状態においては、上記編組部分にバネ部材等を用いた抜止の部材が圧接して上記編組部分の抜止めをするようにした同軸ケーブル用のコネクターが提供されている。
【０００３】
上記のような構成の同軸ケーブル用のコネクターにあっては、コネクターに対する同軸ケーブルの装着は、コネクターにおける中空部に同軸ケーブルの編組を挿入するだけの操作でもって極めて簡易迅速に行われる特長がある。
【０００４】
【発明が解決しようとする課題】
しかしながらこの従来の同軸ケーブル用のコネクターでは、現場における作業手段が変更される等、種々な要因によってコネクターにおける中空部に同軸ケーブルの編組を挿入装着した後に、コネクターから同軸ケーブルを抜かねばならない事情が発生する。かかる事情においては、同軸ケーブルにおける収納室内の編組に、内部の抜け止用のバネ部材が圧接して上記編組部分の抜止めは固く阻止されているので、俄に装着替えできない問題点がある。また仮に同軸ケーブルを引き抜いたとすれば上記の編組は破れ、再用は困難になる問題点があった。さらに従来のものは構成が複雑となり、製造コストが高くなる問題点もあった。
【０００５】
本件出願の同軸ケーブル用のコネクターは、上記従来技術の問題点を解決する為に提供するものである。
本件出願の目的は、コネクターに対する同軸ケーブルの装着は、コネクターにおける中空部に同軸ケーブルの中心導体と編組を挿入するだけのワンタッチ的な操作でもって極めて簡易迅速に行われるようにした同軸ケーブル用のコネクターを提供しようとするものである。
他の目的は、現場における作業手順が変更される等、種々な要因によってコネクターにおける中空部に同軸ケーブルの編組を挿入装着した後に、コネクターから同軸ケーブルを抜かねばならない事情が発生したときにおいても、僅かな操作でもって同軸ケーブルの編組を傷めること少なく、引抜くことが出来、再び装着を可能ならしめるようにした同軸ケーブル用のコネクターを提供しようとするものである。
他の目的は、上記のように取扱いが便利な構成にするものであっても、その構成は簡易で、製作コストが安価となるようにした同軸ケーブル用のコネクターを提供しようとするものである。
他の目的及び利点は図面及びそれに関連した以下の説明により容易に明らかになるであろう。
【０００６】
【課題を解決するための手段】
本願発明における同軸ケーブル用のコネクターは、コネクター本体におけるベース部材には同軸ケーブルにおける中心導体を挿通する為の挿通孔を備えさせると共にベース部材の一面からは同軸ケーブルにおける編組部分を位置させる為の中空の収納室が内側に形成されるように側壁を突設させ、上記中空の収納室内には同軸ケーブルの中心導体が上記挿通孔を貫通し、同軸ケーブルにおける編組部分が上記中空の収納室内に位置した装着状態において上記編組部分に圧接して上記編組部分の抜止めをするようにしてある抜止の部材を備える同軸ケーブル用のコネクターにおいて、
上記中空の収納室にあっては、内側には中心導体を挿通する為に上記の挿通孔に同軸的に連通する挿通孔を備える筒状の接触筒を、一端は上記ベース部材の一面に一体的に接合し、他端は上記中空の収納室における開口部に向けて突出させ、上記接触筒の外周面には収納室における開口部から挿入される同軸ケーブルにおける編組を被せ付けて導通させることを可能な状態で配置し、上記収納室内における中空の接触筒の周囲には、開口部側からベース部材側に向けて自由端が接触筒に近づくように傾斜させた複数の弾力性を備える抜止の為の係合爪を配設して、収納室内に挿入される同軸ケーブルの編組が係合爪を押上げて挿入された後はその編組を押圧係止可能に配置し、上記中空の収納室における開口部には接触筒に被せ付けられる上記の編組の外周よりも大きな内周面を備える筒状の解除部材を軸心方向へ向けての進退を自在に装着し、解除部材におけるベース部材側の自由端における係合爪排除部材の先端は、上記解除部材をベース部材側に向けて押し進めた状態では係合爪を押上げて同軸ケーブルにおける編組部分から係合爪の先端部を離間させ得るように設定してあり、後退させた状態においては、係合爪の先端部が上記の編組を押圧係止可能となる位置に復帰し得るように構成したものである。
【０００７】
【発明の実施の形態】
以下本願発明の実施の形態を示す図面について説明する。図１及び図２における同軸ケーブル用のコネクター１において、２はコネクター本体、３は止着バネ体、４は解除部材、５はナット部材を示す。６は周知の同軸ケーブルを示す。
周知のように導電性のある金属材料で形成されているコネクター本体２におけるベース部材１０には同軸ケーブル６における中心導体４３を挿通する為の挿通孔１６を備えさせてある。ベース部材１０の一面１４ｅからは同軸ケーブル６における編組部分４１を位置させる為の中空の収納室１２が内側に形成されるように側壁１１を突設させ、そこの先端には内向きのガイド部材１３が備えさせてある。上記中空の収納室１２内には同軸ケーブルの中心導体４３が上記挿通孔１６を貫通し、同軸ケーブルにおける編組部分４１が上記中空の収納室１２の内に位置する装着状態において、上記編組部分４１に圧接して上記編組部分の抜止めをするようにした係合爪５３を有するベリリウム銅、ステンレス、リン青銅製などの弾力性がある止着バネ体３が備えさせてある。
【０００８】
上記中空の収納室１２にあっては、内側には中心導体を挿通する為に上記の挿通孔１６に連通する挿通孔１６を備える筒状の接触筒１５を、一端は上記ベース部材１０の一面に一体的に接合され、他端は上記中空の収納室における開口部１２ａに向けて突出する状態に備えさせてある。上記接触筒１５の外周面１５ａは先細り状に形成し、これに対しては、収納室１２における開口部１２ａから挿入される同軸ケーブルにおける編組４１を被付けて導通させることを可能に構成してある。１７は膨出状の係合環である。
【０００９】
上記中空の収納室１２における接触筒１５の周囲１５ａには、開口部１２ａ側からベース部材１０の側（矢印３８方向）に向けて自由端５３ａが接触筒１５に近づくように傾斜させた複数の弾力性を備える係合爪５３を環状の基部材５１から持出し、並べて周設した状態で配置されている。係合爪５３の爪先５３ａの弾力は挿入された同軸ケーブルの編組４１が係合爪５３を押上げて挿入でき、その後はその編組４１の外周を押圧し、係止して、抜止をなし、かつ、編組内面が接触筒１５に圧接して導通が可能になるように定められている。
【００１０】
上記中空の収納室１２における開口部１２ａには接触筒１５の外周１５ａよりも、さらに編組４１の外周よりも大きな内周３１を備える筒状の解除部材４を軸心方向へ向けての進退を自在に装着し、解除部材４におけるベース部材側の自由端における係合爪の排除部材３６は外周を先細り状に形成して、上記解除部材４をベース部材側に向けて押し進めた状態（図１（Ｂ）から図１（Ｃ）のようにした状態）では、それの操作面３５が係合爪５３を押上げて同軸ケーブルにおける編組部分４１（又は外被４０の外周当接部分）から爪先５３ａを離間させ得るように設定してある。
係合爪排除部材３６を後退させた状態（図１（Ｂ）の状態）においては、係合爪の先端部53aが上記の編組（又は外被４０の外周当接部分）を押圧係止可能となる位置に復帰するように構成してある。３２は解除部材４における筒体３０の後端に付設した指先での操作を可能ならしめる為の鍔部材を示す。これの外周面33には、小さな係止環34を付し、図１（Ａ）の状態では上記ガイド部材13に僅かに係合し、通常の状態では抜けない程度に係止されている。
【００１１】
次に、ベース部材１０における他面には、上記挿通孔１６に連通する中空筒体１９と、
その自由端に形成されるカプラ２０とを一体材で備える。
周知のナット部材５は、周知のようにカプラ２０に対して係合部２６を回動自在に連結しており、外周面２５はスパナ掛けができるように角形に、また内面には接栓座６１との螺合が可能なように雌ねじ２４が形成されている。
次に接栓座６１は周知例のうちの一つの例を示すもので、全体は周知の構成にしてある。なお６２は装着用ネジ、６３は上記雌ねじ２４に螺合させる外部導体、６４はナット、６５は中心導体４３に接続されるバネ板でなる内部導体を示す。
【００１２】
次に図１、２に示される上記止着バネ体３につき更に説明をする。基部材５１は環状に形成されており、これの内側からは、個々独立した動きが可能となるよう間隙５４を介して並列された複数の係合爪５３が前記した状態で環状に配置される。また上記の基部材５１の外側からは側周片５２が、間隙５５を介して並列状になるように突設させてある。これら側周片５２は側壁１１の内周面１４に当接して沿うように配置され、係合爪５３の先が内側に向けて大きな付勢力を発揮するように内周面１４によって支えている。側周片５２の先端は底面14eに届くように長く設定されている。
【００１３】
上記構成のものにあっては、接栓座６１に対して同軸ケーブル６を接続するに当たり、図２（Ａ）に示される如く、同軸ケーブル６の先端を周知のように段剥ぎをして接続の準備をする。一方接栓座６１に対しては、ナット部材５の雌ねじ２４を螺合させ、図１（Ｂ）の状態にする（なおこの場合は、同軸ケーブルは存在しない）。次に図１（Ａ）のように同軸ケーブル６の先端を挿通孔１６に対して、矢印３８方向へ挿入する。この場合挿通孔１６には、中心導体４３と絶縁材４２が挿通され、編組４１は接触筒１５の外周面１５ａに被さるように進行させる。同軸ケーブル６の編組４１がベース部材１０の底面１４ｅに達する過程において、ばね体の係合爪５３の先端５３ａに当接するがこれを押し広げて進行させ、その結果図１（Ｂ）に示す状態になる。このようなワンタッチ操作により、中心導体４３は接栓座６１における内部導体６５に接続され、編組４１は、接触筒１５を介して接栓座６１の外部導体６３に接続される。
次に何かの都合によって、コネクター１から同軸ケーブル６を外したい場合は、図１（Ｃ）の如く、鍔部３２を矢印３８方向に押し込むことにより、係合爪５３は編組４１から放射方向に退避し、同軸ケーブルの矢印３９方向へ向けての引き抜きを自由にする。引き抜かれたケーブルの状態は図１（Ｄ）に示す如くになる。従って、再び接続したい場合には、この状態から図１（Ａ），（Ｂ）に示す前記の操作を繰り返すことにより再びの接続は可能になる。
【００１４】
次に、図１に示されるものとはコネクター本体２における内部の構成及び止着バネ体３の構成において異なる例が示される図３から図６について説明する。
これらの図において（Ａ），（Ｂ）及び（Ｃ）の表示が付された図は、機能上前述の図１に示されるものと同一又は均等の構成と考えられる構成、部材等には、理解しやすいように同一画法によって表示し、かつ、前述の図１、２に示されるものに用いられた符号と同じ符号を用い、重複する構成、部材、機能等についての説明は以下において省略する。
また図３から図６においては、図１における（Ｄ）図に対応するものは図示されていないが、これらの図３〜６において、引き外されたケーブルの形状は図１（Ｄ）に示されるものと同様であるので重複する説明は省略した。
次に図３から図６に示される前記コネクター本体２と止着バネ体３との相互に異なるものについて説明する。
【００１５】
図３は、図２（Ｃ）に示される止着バネ体３ａを使用した例を示している。コネクター本体２における内周面１４に対しては、側周片５２の先端を係止させるための段部14aを周設し、その段部14aと底面14eとの間には補助片５６の先端を当接させる為の曲面14bを形成した。
止着バネ体３ａは、前記の止着バネ体３と同様の考えでもって形成されたものであるが、上記側周片５２と比較してその先端がやや短く構成してあり、係合爪５３にあっては中間部に上記曲面14bに向けて突出させる補助片５６が備えさせてある。この補助片５６は窓56aを形成することにより切起状に形成されたものである。
上記の構成にあっては図３（Ａ）に示される準備状態から、図３（Ｂ）に示されるケーブル挿入状態に至る過程では図１に示す場合とほぼ同様の操作をするのであるが、補助片５６の先端が上記曲面14bに向けて突出し、係合爪５３を周囲から内側に向けて押しているので当接バネの付勢力の点においてやや優れた点がある。従って抜け止効果は大きい。
次にケーブルを引き抜く場合に図３（Ｃ）に示されるように解除部材４を矢印３８方向に押し込む。すると補助片５６の先端は上記曲面14bに導かれて折れ曲がり状になり、係合爪５３の先端は図１の場合と同様に編組４１から離れ、ケーブルの引き抜きを可能にする。以後は図３（Ａ）に示される準備状態になる。
【００１６】
図４は、図３の場合と同様に図２（Ｃ）に示される止着バネ体３ａを使用した例を示している。
コネクター本体２における内周面１４に対しては、側周片５２の先端を係止させるための段部14aを周設し、その段部14aと底面14eとの間には補助片５６の先端を当接させる為の斜面14cを形成した。
止着バネ体３ａは、前記の止着バネ体３と同様の考えでもって形成されたものであるが、上記側周片５２と比較してその先端がやや短く構成してあり、係合爪５３にあっては中間部に上記斜面14cに向けて突出させる補助片５６が備えさせてある。この補助片５６は窓56aを形成することにより切起状に形成されたものである。
上記の構成にあっては図４（Ａ）に示される準備状態から、図４（Ｂ）に示されるケーブル挿入状態に至る過程では図１に示す場合とほぼ同様の操作をするのであるが、補助片５６の先端が上記斜面14cに向けて突出し、係合爪５３を周囲から内側に向けて押しているので当接バネの付勢力の点においてやや優れた点がある。従って抜け止効果は大きい。
次にケーブルを引き抜く場合に図４（Ｃ）に示されるように解除部材４を矢印３８方向に押し込む。すると補助片５６の先端は上記斜面14cに導かれて折れ曲がり状になり、係合爪５３の先端は図１の場合と同様に編組４１から離れ、ケーブルの引き抜きを可能にする。以後は図４（Ａ）に示される準備状態になる。
【００１７】
図５は、図２（Ｄ）に示される止着バネ体３ｂを使用した例を示している。コネクター本体２における内周面１４と底面14eとの間には補助片５６の先端を当接させる為の曲面14bを形成した。
止着バネ体３ｂは、図１の止着バネ体３と同様の考えでもって形成されたものであるが、係合爪５３にあっては中間部に上記曲面14bに向けて突出させる補助片５６が備えさせてある。この補助片５６は窓56aを形成することにより切起状に形成されたものである。
上記の構成にあっては図５（Ａ）に示される準備状態から、図５（Ｂ）に示されるケーブル挿入状態に至る過程では図１に示す場合とほぼ同様の操作をするのであるが、補助片５６の先端が上記曲面14bに向けて突出し、係合爪５３を周囲から内側に向けて押しているので当接バネの付勢力の点においてやや優れた点がある。従って抜け止効果は大きい。
次にケーブルを引き抜く場合に図５（Ｃ）に示されるように解除部材４を矢印３８方向に押し込む。すると補助片５６の先端は上記曲面14bに導かれて折れ曲がり状になり、係合爪５３の先端は図１の場合と同様に編組４１から離れ、ケーブルの引き抜きを可能にする。以後は図５（Ａ）に示される準備状態になる。
【００１８】
図６は、図５の場合と同様に図２（Ｄ）に示される止着バネ体３ｂを使用した例を示している。
コネクター本体２における内周面１４と底面14eとの間には補助片５６の先端を当接させる為の斜面14cを形成した。
止着バネ体３ｂは、図１の止着バネ体３と同様の考えでもって形成されたものであるが、上記係合爪５３にあっては中間部に上記斜面14cに向けて突出させる補助片５６が備えさせてある。この補助片５６は窓56aを形成することにより切起状に形成されたものである。
上記の構成にあっては図６（Ａ）に示される準備状態から、図６（Ｂ）に示されるケーブル挿入状態に至る過程では図１に示す場合とほぼ同様の操作をするのであるが、補助片５６の先端が上記斜面14cに向けて突出し、係合爪５３を周囲から内側に向けて押しているので当接バネの付勢力の点においてやや優れた点がある。従って抜け止効果は大きい。
次にケーブルを引き抜く場合に図６（Ｃ）に示されるように解除部材４を矢印３８方向に押し込む。すると補助片５６の先端は上記斜面14cに導かれて折れ曲がり状になり、係合爪５３の先端は図１の場合と同様に編組４１から離れ、ケーブルの引き抜きを可能にする。以後は図６（Ａ）に示される準備状態になる。
【００１９】
図７は、図１における接栓座６１とは異なる構造の接栓座を備えている高周波機器ケースを示し、上記コネクター１が種々な高周波機器に対して利用できる例を示すものである。７１は周知の高周波機器ケースの本体、７２はそれの入力端子、７３はそれの出力端子、７４はケースの本体の固定片、７５はそれのねじ挿通用孔を示す。
なおこの図７においては、機能上前述の図１、２に示されるものと同一又は均等の構成と考えられる構成、部材等には、理解しやすいように同一の画法によって表示し、かつ、前述の図１、２に示されるものに用いられた、例えば１、２、３、４・・・等の前述の説明に用いた符号と同じ符号を用いたので、構成、部材、機能等についての重複する説明は省略する。
【００２０】
【発明の効果】
以上のように本願発明は、コネクターに対する同軸ケーブルの装着は、コネクターにおける中空部に同軸ケーブルの中心導体と編組を挿入するだけのワンタッチ的な操作でもって極めて簡易迅速に行なえる効果がある。
【００２１】
さらに本願発明にあっては、現場における作業手順が変更される等、種々な要因によってコネクターにおける中空部に同軸ケーブルの編組を挿入装着した後に、コネクターから同軸ケーブルを抜かねばならない事情が発生したときにおいても、僅かな操作でもって同軸ケーブルの編組を傷めること少なく、引抜くことが出来、再び装着を可能ならしめるようにした画期的効果がある。
【図面の簡単な説明】
【図１】  コネクターに対するケーブルの着脱の状態を説明する為の一部破断図で、（Ａ）はコネクターに対して同軸ケーブルを装着する寸前の状態を示し、（Ｂ）はコネクターの内部に同軸ケーブルの先端を装着し終えた状態を示し、（Ｃ）はコネクターに装着されていた同軸ケーブルを外す為に排除部材を挿入して係合ばねをケーブルから外した状態を示し、（Ｄ）はコネクターから外した同軸ケーブルの状態を示す。
【図２】  （Ａ）はコネクターを分解して示す斜視図と同軸ケーブルの関係を示す図、（Ｂ）はコネクターに同軸ケーブルが装着された状態を示す状態斜視図、（Ｃ）と（Ｄ）は（Ａ）に示される止着バネ体３とは夫々構成が異ならしめてある止着バネ体を示す斜視図。
【図３】  図１とはコネクター本体２における内部の構成及び止着バネ体３の構成において異なる例を示す図、コネクターに対するケーブルの着脱の状態を説明する為の一部破断図で、（Ａ）はコネクターに対して同軸ケーブルを装着する寸前の状態を示し、（Ｂ）はコネクターの内部に同軸ケーブルの先端を装着し終えた状態を示し、（Ｃ）はコネクターに装着されていた同軸ケーブルを外す為に排除部材を挿入して係合ばねをケーブルから外した状態を示す。
【図４】  図１とはコネクター本体２における内部の構成及び止着バネ体３の構成において異なる例を示す図、コネクターに対するケーブルの着脱の状態を説明する為の一部破断図で、（Ａ）はコネクターに対して同軸ケーブルを装着する寸前の状態を示し、（Ｂ）はコネクターの内部に同軸ケーブルの先端を装着し終えた状態を示し、（Ｃ）はコネクターに装着されていた同軸ケーブルを外す為に排除部材を挿入して係合ばねをケーブルから外した状態を示す。
【図５】  図１とはコネクター本体２における内部の構成及び止着バネ体３の構成において異なる例を示す図、コネクターに対するケーブルの着脱の状態を説明する為の一部破断図で、（Ａ）はコネクターに対して同軸ケーブルを装着する寸前の状態を示し、（Ｂ）はコネクターの内部に同軸ケーブルの先端を装着し終えた状態を示し、（Ｃ）はコネクターに装着されていた同軸ケーブルを外す為に排除部材を挿入して係合ばねをケーブルから外した状態を示す。
【図６】  図１とはコネクター本体２における内部の構成及び止着バネ体３の構成において異なる例を示す図、コネクターに対するケーブルの着脱の状態を説明する為の一部破断図で、（Ａ）はコネクターに対して同軸ケーブルを装着する寸前の状態を示し、（Ｂ）はコネクターの内部に同軸ケーブルの先端を装着し終えた状態を示し、（Ｃ）はコネクターに装着されていた同軸ケーブルを外す為に排除部材を挿入して係合ばねをケーブルから外した状態を示す。
【図７】図１における接栓座とは異なる構造の接栓座を備えている高周波機器ケースを示し、上記コネクターが種々な高周波機器に対して利用できる例を示す一部破断説明図。
【符号の説明】
１・・・同軸ケーブル用のコネクター、２・・・コネクター本体、３・・・止着バネ体、４・・・解除部材、５・・・ナット部材、６・・・同軸ケーブル、１０・・・ベース部材、１１・・・側壁、１２・・・中空部（収納室）、１３・・・ガイド部材、１４・・・内周面、１４ａ・・・段部、１４ｂ・・・円弧面、１４ｃ・・・斜面、１４e・・・底面、１５・・・接触筒、１６・・・挿通孔、１７・・・係合環、１９・・・中空筒体、２０・・・カプラ、２４・・・雌ねじ、２５・・・外周面、２６・・・係合部（回転自在）、３０・・・筒体、３１・・・中空部、３２・・・鍔部、３３・・・外周面、３４・・・係止環、３５・・・操作面、３６・・・排除部材、３８・・・矢印、３９・・・矢印、４０・・・外被、４１・・・編組、４２・・・絶縁材、４３・・・中心導体、５１・・・基部材、５２・・・側周片、５３・・・係合爪、５３ａ・・・自由端、５４，５５・・・間隙、５６・・・補助片、６１・・・接栓座、６２・・・装着用ネジ、６３・・・外部導体、６４・・・ナット、６５・・・内部導体、７１・・・ケース、７２・・・入力端子、７３・・・出力端子、７４・・・固定片、７５・・・ねじ挿通用孔。
【図１】
0003840094.tif 000002
【図２】
0003840094.tif 000003
【図３】
0003840094.tif 000004
【図４】
0003840094.tif 000005
【図５】
0003840094.tif 000006
【図６】
0003840094.tif 000007
【図７】
0003840094.tif 000008